(57)【要約】【課題】紙のみから形成され、かつ、気密性を有する紙製密閉容器を提供する。【解決手段】箱本体１０と合紙で形成された嵌合板２０とを備え、箱本体１０の上面に蓋片１２と開口部１３とが形成されており、嵌合板２０は蓋部２１と環状の枠部２２とで形成されており、蓋部２１は蓋片１２の内側に接着されており、枠部２２は箱本体１０の上面の内側に接着されている紙製密閉容器である。プラスチックの成形型が不要であり、製造コストを抑えることができる。廃棄時には分別が不要であり、焼却時に高熱量や有毒ガスが発生するという問題がない。蓋片１２と開口部１３および蓋部２１と枠部２２は打ち抜き加工により形成されるため、気密性を高くすることができ、かつ、製造コストを抑えることができる。【選択図】図１
2011037448.tif 000002
【特許請求の範囲】
【請求項１】
厚紙で形成された箱本体と、厚紙を積層状に貼り合わせた合紙で形成された嵌合板とを備え、
前記箱本体の上面に、一辺を折れ線とし該折れ線の両端を弧状に結ぶように打ち抜き加工されることにより、蓋片と開口部とが形成されており、
前記嵌合板の外周は前記開口部より大きい形状をしており、
前記嵌合板は、環状に打ち抜き加工されることにより、前記開口部より小さい形状の蓋部と、該蓋部の周りの環状の枠部とで形成されており、
前記蓋部は前記蓋片の内側に接着されており、
前記枠部は前記箱本体の上面の内側に、前記開口部を囲むように接着されている
ことを特徴とする紙製密閉容器。
【請求項２】
前記蓋部の内側はラミネート加工が施されており、
前記枠部の外側はラミネート加工が施されている
ことを特徴とする請求項１記載の紙製密閉容器。
【請求項３】
前記蓋部にピンセットを格納する格納孔が形成されている
ことを特徴とする請求項１または２記載の紙製密閉容器。
【請求項４】
前記箱本体は、該箱本体の上面が開閉できるように形成されている
ことを特徴とする請求項１，２または３記載の紙製密閉容器。
【発明の詳細な説明】
【技術分野】
【０００１】
本発明は、紙製密閉容器に関する。さらに詳しくは、ウエットティッシュなどを封入した封入袋を収納する気密性を有する紙製密閉容器に関する。
【背景技術】
【０００２】
積層状に重なったウエットティッシュを、気密性および耐水性を有するフィルムで形成された封入袋に封入した製品が販売されている。その封入袋の上面にはウエットティッシュを取り出すための長孔状の取出口が設けられ、ウエットティッシュの乾燥を防ぐため、その取出口を覆うように、繰り返し付け剥がし可能な封止シールが貼り付けられているものが多い。
封止シールがない場合、あるいは封止シールがあっても一度開封した場合は気密性が弱くなるため、ウエットティッシュが乾燥してしまう恐れがある。そこで、ウエットティッシュの乾燥を防ぐために、封入袋をさらに気密性のあるプラスチック製容器に収納する場合がある。そのプラスチック製容器には封入袋の取出口よりも大きい開口部が設けられており、その開口部を気密に閉塞する蓋を有するものが一般的である。
しかるに、このプラスチック製容器は、高価な成形型が必要なため製造コストが高く、しかも廃棄する場合において、嵩張るだけでなく、焼却時に高熱量や有毒ガスが発生するという問題がある。また、プラスチック製であるためリサイクルができないという問題がある。
【０００３】
これに対し、特許文献１のウエットティッシュ包装体は、図９に示すように、封入袋104とその外側を被覆する外装体101とからなり、外装体101は紙箱102とその上面部に取付けられたプラスチック製の型材103とからなり、型材103は封入袋の取出口143に対応する開口部132を形成した環状の枠体131とその開口部132を密閉する蓋板133とからなり、封入袋104の上面と枠体131の下面とを接着剤で環状に接着させたものである。
枠体131と蓋板133は従来のプラスチック製容器と同様に気密に嵌合できるものであって、封入袋104の上面と枠体131の下面とを接着剤で環状に接着させているので、封入袋の取出口143は、蓋板133を閉じた時にはほぼ気密状態に維持されるようになる。したがって、紙箱を用いて形成されているにも関わらず気密性を高めることができる。また、全体をプラスチック製としたものに比べて焼却時の高熱量や有毒ガスの発生を抑制する事が出来る。
【０００４】
しかるに、依然として型材103としてプラスチックを使用しており、高価な成形型が必要であることに変わりなく製造コストが高くなるという問題がある。
また、廃棄時にはプラスチック部分と紙部分の分別が必要であり、プラスチック部分は依然として焼却時に高熱量や有毒ガスが発生するという問題がある。
さらに、プラスチック部分はリサイクルができないという問題がある。
【先行技術文献】
【特許文献】
【０００５】
【特許文献１】特開平９−２５４７号公報
【発明の概要】
【発明が解決しようとする課題】
【０００６】
本発明は上記事情に鑑み、紙のみから形成され環境に優しく、かつ、気密性を有する紙製密閉容器を提供することを目的とする。
【課題を解決するための手段】
【０００７】
第１発明の紙製密閉容器は、厚紙で形成された箱本体と、厚紙を積層状に貼り合わせた合紙で形成された嵌合板とを備え、前記箱本体の上面に、一辺を折れ線とし該折れ線の両端を弧状に結ぶように打ち抜き加工されることにより、蓋片と開口部とが形成されており、前記嵌合板の外周は前記開口部より大きい形状をしており、前記嵌合板は、環状に打ち抜き加工されることにより、前記開口部より小さい形状の蓋部と、該蓋部の周りの環状の枠部とで形成されており、前記蓋部は前記蓋片の内側に接着されており、前記枠部は前記箱本体の上面の内側に、前記開口部を囲むように接着されていることを特徴とする。
第２発明の紙製密閉容器は、第１発明において、前記蓋部の内側はラミネート加工が施されており、前記枠部の外側はラミネート加工が施されていることを特徴とする。
第３発明の紙製密閉容器は、第１または第２発明において、前記蓋部にピンセットを格納する格納孔が形成されていることを特徴とする。
第４発明の紙製密閉容器は、第１，第２または第３発明において、前記箱本体は、該箱本体の上面が開閉できるように形成されていることを特徴とする。
【発明の効果】
【０００８】
第１発明によれば、紙のみから形成されているため、プラスチックの成形型が不要であり、製造コストを抑えることができる。廃棄時には分別が不要であり、焼却時に高熱量や有毒ガスが発生するという問題がない。リサイクルすることが可能であるので環境に優しく、エコロジーに役立つ。また、蓋片と開口部および蓋部と枠部は打ち抜き加工により形成されるため、気密性を高くすることができ、かつ、製造コストを抑えることができる。また、蓋部は合紙で形成されているため重量があり、蓋片が自重で閉まることができる。さらに、箱本体のみならず蓋片や蓋部にも直接印刷することができるため、印刷したシールなどが不要であり、印刷コストを抑えることができる。
第２発明によれば、蓋部の内側はラミネート加工が施されているため、ウエットティッシュなどを封入袋から取り出す際に湿気から蓋部を保護することができる。また、枠部の外側はラミネート加工が施されているため、取り出したウエットティッシュなどの湿気から枠部を保護することができる。さらに、蓋部と枠部にラミネート加工を施すことにより、蓋片を開けた時の外観が美しくなる。
第３発明によれば、蓋部の格納孔にピンセットを格納することができるため、このピンセットでウエットティッシュなどを封入袋から清潔に取出すことができる。
第４発明によれば、箱本体の上面を開け、内容物を詰め替えることができるので、繰り返し使用することができ環境に優しく、エコロジーに役立つ。
【図面の簡単な説明】
【０００９】
【図１】本発明の第１実施形態に係る紙製密閉容器の斜視図である。
【図２】同紙製密閉容器を示し、（Ａ）図は蓋片を閉めたときの平面図、（Ｂ）図は蓋片を開けたときの平面図である。
【図３】図２におけるIII-III線矢視断面図であって、（Ａ）図は蓋片を閉めたときの断面図、（Ｂ）図は蓋片を開けたときの断面図である。
【図４】他の実施形態に係る紙製密閉容器を示し（Ａ）図は蓋片を開けたときの平面図（Ｂ）図は蓋片を開けたときの側面視断面図である。
【図５】本発明の第１実施形態に係る紙製密閉容器に封入袋を収納した際の斜視図である。
【図６】本発明の第２実施形態に係る紙製密閉容器の斜視図である。
【図７】本発明の第３実施形態に係る紙製密閉容器の蓋片を開けたときの斜視図である。
【図８】同紙製密閉容器の上面部を開けたときの斜視図である。
【図９】従来技術のウエットティッシュ包装体の斜視図である。
【発明を実施するための形態】
【００１０】
つぎに、本発明の実施形態を図面に基づき説明する。
【００１１】
（第１実施形態）
図１に示すように、本発明の第１実施形態に係る紙製密閉容器Ａは、厚紙で直方体に形成された箱本体１０と、厚紙を積層状に貼り合わせた合紙で板状に形成された嵌合板２０とからなる。箱本体１０は、一枚の厚紙を、直方体を平面に展開した形状に打ち抜き加工し、各辺で折り曲げ接着することにより直方体に形成された従来公知のものである。嵌合板２０は、厚紙を複数枚積層状に貼り合わせることで、強度および厚みを増した矩形の紙片である。嵌合板２０の片面は、ラミネート加工が施されることにより耐湿性、美粧性が向上されている。
【００１２】
箱本体１０の上面は、一辺を折れ線１１とし、その折れ線１１の両端をコの字型に結ぶように打ち抜き加工されている。本実施形態においては、その折れ線１１が箱本体１０の上面の一辺の中央付近と共通している。打ち抜き加工により箱本体１０から切り離され、折れ線１１で接続している部分が蓋片１２である。そして、箱本体１０の上面にできる開口が開口部１３であり、蓋片１２と同形であって矩形をしている。蓋片１２は折れ線１１を中心にして回動し、開口部１３を開閉することができるようになっている。また、蓋片１２にはつまみ１４が形成されており、つまみ１４を指でつまむことで蓋片１２の開閉を容易としている。
【００１３】
図２に示すように、嵌合板２０は開口部１３よりも大きい矩形をしている。さらに、中央付近が矩形に打ち抜き加工されることにより、開口部１３よりも小さい矩形の蓋部２１と、その蓋部２１の周りの環状の枠部２２とが形成されている。
蓋部２１は蓋片１２の内側に接着されており、枠部２２は、箱本体１０の上面の内側に、開口部１３を囲むように接着されている。ここで、蓋部２１および枠部２２の片面にはラミネート加工が施されているが、蓋部２１は、ラミネート加工が施された面が箱本体１０の内側に向くように接着されており、枠部２２は、ラミネート加工が施された面が箱本体１０の外側に向くように接着されている。すなわち、蓋部２１および枠部２１は嵌合板２０から打ち抜き加工された後に、一方を反転させて、蓋片１２および箱本体１０の上面に接着されている。ただし、蓋部２１と枠部２２は蓋片１２を閉じたときにそれぞれ嵌り合うような位置に接着されている。そのため、蓋部２１は反転させても枠部２２に嵌るような対称な形状をしている。
【００１４】
このように、蓋片１２と開口部１３および蓋部２１と枠部２２は打ち抜き加工により形成されるため、図３に示すように隙間なく嵌り合うことができ、蓋片１２を閉めたときに、気密性を高くすることができる。
【００１５】
また、箱本体１０を平面に展開した形状を厚紙から打ち抜き加工すると同時に、蓋片１２および開口部１３、さらにはつまみ１４を打ち抜きすることがでる。嵌合板２０も合紙から打ち抜き加工すると同時に、蓋部２１と枠部２２を打ち抜きすることができる。そのため、厚紙および合紙を無駄なく使用し、材料コストを抑えることができると共に、製造工程が少なく、製造コストを抑えることができる。
【００１６】
なお、図２に示すように、折れ線１１を箱本体１０の上面の長辺に設けて、蓋片１２を横長に開く形状としてもよいし、これに代えて、折れ線１１を箱本体１０の上面の短辺に設けて、蓋片１２を縦長に開く形状としてもよい。
【００１７】
また、図４に示すように、折れ線１１を箱本体１０の上面の辺から離れた位置に設け、折れ線１１と箱本体１０の上面の辺を共通としない形状としてもよい。
【００１８】
また、本実施形態では、嵌合板２０の片面にラミネート加工を施し、蓋部２２を対称な形状として、蓋部２１と枠部２２を反転させて貼り合わせたが、両面にラミネート加工を施した嵌合板２０を用いれば、打ち抜いたそのままの向きで蓋片１２および箱本体１０の上面に貼りつけることができる。そうすれば、蓋部２１と枠部２２の嵌合がより良くなり、気密性を高めることができる。またこの場合、蓋部１２を非対象な形状としてもよく、開口部１３の形状とともに自由な形状として形成することができる。
【００１９】
そのほか、箱本体１０の寸法、蓋片１２、嵌合板２０の位置や大きさなどは、収容する物に適当なものとすることができる。
【００２０】
以上の通り、紙製密閉容器Ａは、紙のみから形成されているため、プラスチックの成形型が不要であり、製造コストを抑えることができる。また、廃棄時にはプラスチックの部材などの分別が不要であり、焼却時に高熱量や有毒ガスが発生するという問題がない。焼却の他にリサイクルすることも可能であるので環境に優しく、エコロジーに役立つ。
【００２１】
図５に示すように、紙製密閉容器Ａはウエットティッシュなどを封入した封入袋３０を収納して用いる。封入袋３０は、積層状に重なったウエットティッシュなどを封入したもので、気密性および耐水性を有するフィルムで形成されている。封入袋３０は、ウエットティッシュのほかに、化粧水シート、フェイスマスク、ウエットタオル、汗取りシートなど、ウエット素材全般が封入されるものである。以下、本実施形態ではウエットティッシュを封入した封入袋３０として説明する。
封入袋３０の上面にはウエットティッシュを取り出すための長孔状の取出口３１が設けられている。封入されたウエットティッシュは、この取出口３１から引き抜くことで一枚ずつ取出すことができ、最上層のウエットティッシュを引き抜けば、次の層のウエットティッシュが取出口３１から露出するようになっている。なお、取出口３１には、それを覆うように、繰り返し付け剥がし可能な封止シールが貼り付けられているものが好適である
【００２２】
枠部２２は、取出口３１よりも大きい開口を有し、ウエットティッシュが取出口３１から取出されるのに邪魔にならない形状となっている。
ここで、封入袋３０の上面と枠部２２とは環状に接着剤３２で接着されることが好ましい。紙製密閉容器Ａは、箱本体１０は通常の厚紙で形成されているため気密性が高くないが、蓋部２１および枠部２２は隙間なく嵌り合うことができるため気密性が高いという性質を有する。そのため、取出口３１の全周を枠部２２と接着することにより、取出口３１が蓋部２１と枠部２２で密閉できるようになり、ウエットティッシュの乾燥を防ぐことができる。
なお、封入袋３０の上面と枠部２２とを接着せず、単に箱本体１０中に封入袋３０を収納する実施形態としてもよい。
【００２３】
蓋部２１の内側はラミネート加工が施されているため、ウエットティッシュを封入袋３０から取り出す際、または蓋片１２を閉めた際に湿気から蓋部２１を保護することができる。また、枠部２２の外側もラミネート加工が施されているため、取り出したウエットティッシュの湿気から枠部２２を保護することができる。また、蓋部２１の内側と枠部２２の外側は、蓋片１２を開けた時に目に見える部分であるので、この部分にラミネート加工を施すことにより外観が美しくなる
【００２４】
また、蓋部２１は合紙で形成されているため重量がある。そのため、手でウエットティッシュを取出した後には、蓋片１２が自重で閉まるため、ウエットティッシュで塞がっている手を使う必要がなく扱いやすい。
【００２５】
さらに、紙製密閉容器Ａは紙のみで形成されているため、箱本体１０のみならず蓋片１２や蓋部２１にも直接印刷することが可能である。プラスチック製容器の場合では印刷したシールを張り付けるなどしなければならないが、本発明の場合はそれが不要であり、箱本体と同時に印刷できるので印刷コストを抑えることができる。
【００２６】
（第２実施形態）
図６に示すように、本発明の第２実施形態に係る紙製密閉容器Ｂは、第１実施形態の紙製密閉容器Ａにおいて、蓋部２１に略三角形の格納孔２３が形成されており、その格納孔２３にピンセット４０を格納できる構成をしている。その余の構成は第１実施形態と同様であるので、同一部材に同一符号を付して説明を省略する。
ピンセット４０は、格納孔２３に嵌め込まれ、ピンセット４０自身の広がる力で格納孔２３の側壁を押しつけることにより、格納孔２３内に留まっている。
なお、ピンセット４０を取り出しやすいように、格納孔２３の側部に指を挿入できる窪み２４を形成することが好ましい。
【００２７】
格納孔２３に格納したピンセット４０使うことにより、手に付いた雑菌に触れることなく、ウエットティッシュを封入袋から清潔に取り出すことができる。
なお、嵌合板２０を合紙から打ち抜き加工すると同時に、格納孔２３も打ち抜きすることができる。
【００２８】
（第３実施形態）
図７に示すように、本発明の第３実施形態に係る紙製密閉容器Ｃは、第１実施形態の紙製密閉容器Ａにおいて、箱本体１０が上面部５０と受け部６０に分かれており、その上面部５０が開閉できるように形成されている。その余の構成は第１実施形態と同様であるので、同一部材に同一符号を付して説明を省略する。
【００２９】
図８に示すように、箱本体１０は蓋片１２が設けられた上面部５０と、封入袋などの内容物を受ける受け部６０とからなる。上面部５０は、箱本体１０の上面に当たる上面５１と、上面５１を囲む前面５２および左右の側面５３からなり、受け部６０は底面６１と、底面６１を囲む前面６２、背面６３および左右の側面６４からなる。受け部６０の背面６３の上縁は上面部５０の上面５１と接続しており、この接続部分が折れ線５４となっている。上面部５０は折れ線５４を中心にして回動し、開閉できるようになっている。
【００３０】
受け部６０の前面６２および側面６４には、それぞれの上縁に、外側に向かって下垂する舌弁６５が設けられている。図７に示すように、上面部５０を閉じた場合、舌弁６５が上面部５０の前面５２および側面５３を内側から押すことによって、上面部５０を閉じた状態を保持する様になっている。
【００３１】
このように上面部５０を開けることができるので、収納する内容物を詰め替えることができる。例えば、ウエットティッシュを封入した封入袋を紙製密閉容器Ｃに収納した場合、そのウエットティッシュを使いきったとしても、封入袋を詰め替えることができる。そのため、繰り返し使用することができ環境に優しく、エコロジーに役立つ。
【産業上の利用可能性】
【００３２】
本発明に係る紙製密閉容器は、ウエットティッシュ、化粧水シート、フェイスマスク、ウエットタオル、汗取りシートなど、ウエット素材全般を積層状に封入した封止袋を収納する箱として主に利用される。そのほか、気密性が必要な物を収納する箱として利用される。
【符号の説明】
【００３３】
Ａ，Ｂ  紙製密閉容器
１０    箱本体
１２    蓋片
１３    開口部
２０    嵌合板
２１    蓋部
２２    枠部
２３    格納孔
３０    封入袋
４０    ピンセット
５０    上面部
６０    受け部
【図１】
2011037448.tif 000003
【図２】
2011037448.tif 000004
【図３】
2011037448.tif 000005
【図４】
2011037448.tif 000006
【図５】
2011037448.tif 000007
【図６】
2011037448.tif 000008
【図７】
2011037448.tif 000009
【図８】
2011037448.tif 000010
【図９】
2011037448.tif 000011